(57)【要約】本発明の液晶表示装置は、画像を表示する液晶パネル（３）を有するＬＣＤ（１）と、ルックアップテーブルと、ＬＣＤ（１）の外部に設けられたフレームメモリ（８）とを備えてオーバーシュート駆動を行なう液晶表示装置であって、第１フレームにおける第１階調データと、予めフレームメモリ（８）に記憶させておいた第１フレームの１フレーム前の第２フレームにおける第２階調データとから、ルックアップテーブルを用いて、ＬＣＤ（１）のオーバーシュート駆動に最適な第３の階調データが算出される液晶表示装置において、ルックアップテーブルのデータは、ＬＣＤ（１）の応答速度の特性毎に記録されていることを特徴としている。従って、ルックアップテーブルのデータを書き換えずに、高い表示品位を保つと共に、オーバーシュート駆動に最適なルックアップテーブルを持つ液晶表示装置を提供することができる。【特許請求の範囲】
【請求項１】
オーバーシュート駆動を行なう、画像を表示する液晶パネルを有するＬＣＤであって、
第１フレームにおける第１階調データと、上記第１フレームの１フレーム前の第２フレームにおける第２階調データとから、上記ＬＣＤの上記オーバーシュート駆動に最適な第３の階調データを算出可能なルックアップテーブルのデータがＬＣＤ自身の応答速度の特性毎に記録されていることを特徴とするＬＣＤ。
【請求項２】
上記ルックアップテーブルが搭載されていることを特徴とする請求の範囲第１項に記載のＬＣＤ。
【請求項３】
画像を表示する液晶パネルを有するＬＣＤと、ルックアップテーブルと、上記ＬＣＤの外部に設けられたフレームメモリとを備えてオーバーシュート駆動を行なう液晶表示装置であって、
第１フレームにおける第１階調データと、予め上記フレームメモリに記憶させておいた上記第１フレームの１フレーム前の第２フレームにおける第２階調データとから、上記ルックアップテーブルを用いて、上記ＬＣＤの上記オーバーシュート駆動に最適な第３の階調データが算出される液晶表示装置において、
上記ルックアップテーブルのデータは、上記ＬＣＤの応答速度の特性毎に記録されていることを特徴とする液晶表示装置。
【請求項４】
上記ルックアップテーブルは、上記ＬＣＤに搭載されていることを特徴とする請求の範囲第３項に記載の液晶表示装置。
【請求項５】
上記ＬＣＤは、フレキシブルプリント基板を有しており、上記ルックアップテーブルは該フレキシブルプリント基板に搭載されていることを特徴とする請求の範囲第４項に記載の液晶表示装置。
【請求項６】
上記ルックアップテーブルは、ＲＯＭに内蔵されていることを特徴とする請求の範囲第３項から第５項のいずれか１項に記載の液晶表示装置。
【請求項７】
上記ＲＯＭは、上記ＬＣＤの対向調整用に用いられているＥＥＰＲＯＭであることを特徴とする請求の範囲第６項に記載の液晶表示装置。
【請求項８】
上記ＥＥＰＲＯＭのデータ領域における対向調整用に用いられていない領域が、ルックアップテーブルとして用いられていることを特徴とする請求の範囲第７項に記載の液晶表示装置。
【請求項９】
画像を表示する液晶パネルを備えてオーバーシュート駆動を行なうＬＣＤの駆動方法であって、
第１フレームにおける第１階調データと、上記第１フレームの１フレーム前の第２フレームにおける第２階調データとから、上記ＬＣＤの上記オーバーシュート駆動に最適な第３の階調データを算出可能なルックアップテーブルのデータをＬＣＤ自身の応答速度の特性毎に記録していることを特徴とするＬＣＤの駆動方法。
【請求項１０】
画像を表示する液晶パネルを有するＬＣＤと、ルックアップテーブルと、上記ＬＣＤの外部に設けられたフレームメモリと、ルックアップテーブルとを備えてオーバーシュート駆動を行なう液晶表示装置の駆動方法であって、
第１フレームにおける第１階調データと、予め上記フレームメモリに記憶した上記第１フレームの１フレーム前の第２フレームにおける第２階調データとから、上記ルックアップテーブルを用いて、上記ＬＣＤの上記オーバーシュート駆動に最適な第３の階調データを算出する液晶表示装置の駆動方法において、
上記ＬＣＤの応答速度の特性毎に上記ルックアップテーブルのデータが記録されていることを特徴とする液晶表示装置の駆動方法。
【発明の詳細な説明】
【技術分野】
【０００１】  本発明は、ルックアップテーブルを用いてオーバーシュート駆動を行う液晶表示装置およびその駆動方法に関するものである。
【背景技術】
【０００２】  近年、フラットパネルディスプレイ（Ｆｌａｔ  Ｐａｎｅｌ  Ｄｉｓｐｌａｙ；ＦＰＤ）の進歩は目覚しく、ブラウン管モニタが様々なＦＰＤに置換えられつつある。特に、ＦＰＤの先駆け的な存在である液晶ディスプレイ（Ｌｉｑｕｉｄ  Ｃｒｙｓｔａｌ  Ｄｉｓｐｌａｙ；ＬＣＤ）は、技術進歩が目覚しく、日常生活の様々な場面で利用されるようになり、その発展には、より一層の期待が高まっている。【０００３】  しかしながら、ＬＣＤには、未だ大きな弱点がいくつか残されている。その代表的なものの１つは、動画表示が苦手であると言うことである。この主原因の１つとして挙げられるのは、液晶の応答速度が遅いということである。液晶の応答速度というと、白黒のスイッチング速度で考えることが多いが、前記のようなブラウン管モニタの置換えに伴い、中間調−中間調でのスイッチングが大きな割合を占めており、この状態での液晶の応答速度を考慮しなければならない。しかも、一般的には、応答速度は白黒スイッチングよりも中間調−中間調でのスイッチングの方が遅く、問題となっている。【０００４】  このため、応答速度の高速化は、テレビをブラウン管からＬＣＤに置換える際に避けて通れない問題であり、あらゆる階調間での液晶の応答を、いかにして高速化するかということが大きな課題となっている。上記課題の解決手段の１つとして提唱されているのが、オーバーシュート（Ｏｖｅｒｓｈｏｏｔ）駆動である。この駆動方法の例を図１０に示す。液晶が、あるフレームの階調レベル（階調）Ａから次のフレームの階調Ｂにスイッチングする時、一般に、階調Ａと階調Ｂとの階調レベルの差が大きければ、大きいほど、液晶は高速スイッチングをする。【０００５】  したがって、図１０のようにＡ＜Ｂのライズ応答であれば、Ｂ＜Ｃとなる階調レベルのオーバーシュート階調Ｃを一瞬入力した後に、目標とする階調レベルＢを入力することで、通常のＡからＢへのスイッチング速度よりもより高速に液晶をスイッチングさせることが可能になる。また、Ａ＞Ｂのディケイ応答であれば、Ｂ＞Ｃとなる階調レベルのオーバーシュート階調Ｃを入力した後に、目標とする階調レベルＢを入力することで、通常のＡからＢへのスイッチング速度よりもより高速に液晶をスイッチングさせることが可能になる。【０００６】  実際には、フル階調スイッチング（たとえば、０階調から２５５階調へのスイッチング）時に、液晶は最も高速にスイッチングするので、オーバーシュート駆動による液晶の応答速度は、理論上、あらゆる階調間のスイッチングにおいて、フル階調スイッチングの応答速度まで高速化が可能になる。したがって、フル階調スイッチングが充分に高速応答をする液晶表示モードにおいて、オーバーシュート駆動を用いることによって、あらゆる階調間のスイッチングにおいて充分な高速応答が可能なＬＣＤを得ることが可能である。【０００７】  そして、オーバーシュート駆動において、重要になる要素の一つとして、上記の階調Ｃをいかにして決めるのかという点がある。【０００８】  この階調Ｃの決定には、ルックアップテーブルを有するＬＵＴ−ＲＯＭ（Ｌｏｏｋｕｐ  Ｔａｂｌｅ−Ｒｅａｄ  Ｏｎｌｙ  Ｍｅｍｏｒｙ）が用いられている。つまり、あるフ��ームの階調Ａと次のフレームの階調Ｂとを、ルックアップテーブルを参照することにより比較して、階調Ｃを決定することができる。【０００９】  このオーバーシュート駆動を行なう従来の液晶表示装置は、図１１に示すように、入力信号部５０と、ＬＵＴ−ＲＯＭ５１と、Ｌｏｇｉｃコントローラ（コントローラ）５２と、フレームメモリ５３とから成る外部信号源５４、および、ＬＣＤ５５を備えている。ＬＵＴ−ＲＯＭ５１は、その内部に図示しないルックアップテーブルを有している。また、説明の便宜上、ＬＣＤ５５の「応答速度」の特性を特性Ｃとする。【００１０】  この液晶表示装置の動作について説明する。【００１１】  入力信号部５０から入力された、例えば８ビットのデジタルデータ（階調値）からなる画像信号の入力は、順次、フレームメモリ５３に入力されて、１フレーム期間保持されてからコントローラ５２へ出力される。なお、このフレームメモリ５３の動作は、コントローラ５２にて制御されている。【００１２】  コントローラ５２は、フレームメモリ５３の出力を入力１としてＬＵＴ−ＲＯＭ５１に供給する。一方、ＬＵＴ−ＲＯＭ５１には、入力信号部５０からコントローラ５２への入力がそのまま入力２として供給される。【００１３】  これによって、ＬＵＴ−ＲＯＭ５１は、入力１と入力２とのそれぞれの階調値に応じて、オーバーシュート駆動を行なうための出力を発生して、コントローラ５２を介してＬＣＤ５５に供給する。【００１４】  なお、特許文献１（特開２００４−７８１２９号公報（公開日：２００４年３月１１日））には、８ｂｉｔの入力データの上位４ｂｉｔおよび８ｂｉｔの前フレームデータの上位４ｂｉｔをルックアップテーブルに入力し、このルックアップテーブルの出力に入力データの下位４ｂｉｔを付加するという構成が開示されている。この構成によれば、ルックアップテーブルのメモリ容量を削減しつつ、出力データの段差を極力少なくすることができる。
【発明の開示】
【００１５】  しかしながら、上記した従来の液晶表示装置およびその駆動方法では以下のような問題が生じる。
【００１６】  ＬＣＤは、生産ラインや生産ロット毎に、ＬＣＤの応答速度の特性にばらつきが生じる。ここで「応答速度」とは、動画像において、ｎフレーム目の階調からｎ＋１フレーム目の階調に変化させた際に、実際にｎフレーム目の階調の輝度からｎ＋１フレーム目の階調の輝度に到達するまでの時間をいう。
【００１７】  図１２に示すように異なる特性Ｄの応答速度を持つＬＣＤ５６を用いると、オーバーシュート駆動の係数の最適値が特性Ｃの応答速度をＬＣＤ５５とは異なる。そのため、応答速度の特性Ｃを持つＬＣＤ５５のオーバーシュート駆動に最適なＬＵＴ−ＲＯＭ５１を、応答速度の特性Ｄを持つＬＣＤ５６にそのまま用いると、ＬＣＤ５６には、次のいずれかの問題が生じる。（ｉ）ＬＣＤ５６の画像の表示品位が下がる。（ｉｉ）ＬＣＤ５６の応答速度が、このＬＣＤ５６のオーバーシュート駆動に最適なＬＵＴ−ＲＯＭを用いた場合よりも下がる。
【００１８】  このような問題を解決するために、ＬＣＤ５５のオーバーシュート駆動に最適であるＬＵＴ−ＲＯＭ５１を、ＬＣＤ５６のオーバーシュート駆動に最適なＬＵＴ−ＲＯＭにするために、ＬＵＴ−ＲＯＭ５１のルックアップテーブルのデータを書き換える必要があった。
【００１９】  つまり、オーバーシュート駆動の係数の最適値が変化することがあり、初期のＬＵＴ−ＲＯＭのデータでは、最適なオーバーシュート駆動ができないため、その都度ＬＵＴ−ＲＯＭのルックアップテーブルのデータをＬＣＤの応答速度の特性に合わせて書き換える必要があった。
【００２０】  本発明は、上記の問題点に鑑みてなされたものであり、その目的は、ルックアップテーブルのデータを書き換えずに、高い表示品位を保つと共に、オーバーシュート駆動に最適なルックアップテーブルを持つ液晶表示装置およびその駆動方法を提供することである。また、こうしたＬＣＤおよびＬＣＤの駆動方法を提供することも目的としている。
【００２１】  本発明のＬＣＤは、上記課題を解決するために、オーバーシュート駆動を行なう、画像を表示する液晶パネルを有するＬＣＤであって、第１フレームにおける第１階調データと、上記第１フレームの１フレーム前の第２フレームにおける第２階調データとから、上記ＬＣＤの上記オーバーシュート駆動に最適な第３の階調データを算出可能なルックアップテーブルのデータがＬＣＤ自身の応答速度の特性毎に記録されていることを特徴としている。
【００２２】  本発明のＬＣＤの駆動方法は、上記課題を解決するために、画像を表示する液晶パネルを備えてオーバーシュート駆動を行なうＬＣＤの駆動方法であって、第１フレームにおける第１階調データと、上記第１フレームの１フレーム前の第２フレームにおける第２階調データとから、上記ＬＣＤの上記オーバーシュート駆動に最適な第３の階調データを算出可能なルックアップテーブルのデータをＬＣＤ自身の応答速度の特性毎に記録していることを特徴としている。
【００２３】  本発明の液晶表示装置は、上記課題を解決するために、画像を表示する液晶パネルを有するＬＣＤと、ルックアップテーブルと、上記ＬＣＤの外部に設けられたフレームメモリとを備えてオーバーシュート駆動を行なう液晶表示装置であって、第１フレームにおける第１階調データと、予め上記フレームメモリに記憶させておいた上記第１フレームの１フレーム前の第２フレームにおける第２階調データとから、上記ルックアップテーブルを用いて、上記ＬＣＤの上記オーバーシュート駆動に最適な第３の階調データが算出される液晶表示装置において、上記ルックアップテーブルのデータは、上記ＬＣＤの応答速度の特性毎に記録されていることを特徴としている。
【００２４】  また、本発明の液晶表示装置の駆動方法は、上記課題を解決するために、画像を表示する液晶パネルを有するＬＣＤと、ルックアップテーブルと、上記ＬＣＤの外部に設けられたフレームメモリと、ルックアップテーブルとを備えてオーバーシュート駆動を行なう液晶表示装置の駆動方法であって、第１フレームにおける第１階調データと、予め上記フレームメモリに記憶した上記第１フレームの１フレーム前の第２フレームにおける第２階調データとから、上記ルックアップテーブルを用いて、上記ＬＣＤの上記オーバーシュート駆動に最適な第３の階調データを算出する液晶表示装置の駆動方法において、上記ＬＣＤの応答速度の特性毎に上記ルックアップテーブルのデータが記録されていることを特徴としている。
【００２５】  ここで、応答速度とは、動画像において、ｎフレーム目の階調からｎ＋１フレーム目の階調に変化させた際に、実際にｎフレーム目の階調の輝度からｎ＋１フレーム目の階調の輝度に到達するまでの時間をいう。
【００２６】  上記液晶表示装置は、第１フレームよりも１フレーム分遅れた第２フレームの第２階調データ（前階調データ）と、第１フレームの第１フレームの第１階調データ（現階調データ）とから、予め用意したルックアップテーブルのデータを参照することにより、オーバーシュート駆動に最適な第３の階調データ、つまり、オーバーシュート駆動に用いる一瞬入力するオーバーシュート階調データを算出するようになっている。
【００２７】  上記応答速度、すなわち応答速度の特性は、ＬＣＤの製造ラインおよび製造ロット毎に異なる（バラツキがある）。そのため、オーバーシュート駆動を行なう際の最適なオーバーシュート駆動の係数もＬＣＤ毎に異なる。そのため、同一のルックアップテーブルを用いて、オーバーシュート駆動の係数の異なるＬＣＤを駆動させたのでは、ＬＣＤの画像の表示品位が下がるか、若しくは、ＬＣＤの応答速度が、このＬＣＤのオーバーシュート駆動に最適なＬＵＴ−ＲＯＭを用いた場合よりも下がる、という問題が生じる。
【００２８】  このような問題に対して、上記構成によれば、予めルックアップテーブルのデータはＬＣＤの応答速度の特性毎に記録されている。そのため、いちいちルックアップテーブルのデータの内容を書き換えることなく、ＬＣＤの画像の表示品位を下げることなく、かつ、ＬＣＤの応答速度を常に最適なルックアップテーブルを用いた場合と同じ速さにすることができる。
【００２９】  本発明のさらに他の目的、特徴、および優れた点は、以下に示す記載によって十分わかるであろう。また、本発明の利益は、添付図面を参照した次の説明で明白になるであろう。
【図面の簡単な説明】
【００３０】
【図１】本発明の実施形態を示すものであり、液晶表示装置の概略構成を示すブロック図である。
【図２】外部信号源２およびＬＵＴ−ＲＯＭ６における階調データの入出力を示すブロック図である。
【図３】ＬＣＤにおける輝度−時間の関係を示すグラフである。
【図４（ａ）】応答速度の特性Ａを持つＬＣＤを備えた液晶表示装置の概略構成を示すブロック図である。
【図４（ｂ）】応答速度の特性Ｂ（特性Ａとは異なる）を持つＬＣＤを備えた液晶表示装置の概略構成を示すブロック図である。
【図５】オーバーシュート駆動を行わずに、上記の特性ＡのＬＣＤ１および特性ＢのＬＣＤ１’を用いて、それぞれｎフレーム目の階調の輝度（階調）からｎ＋１フレーム目の階調に変化させた場合の応答速度を示すグラフである。
【図６】特性ＡのＬＣＤに対して、ＬＵＴ−ＲＯＭを用いて、オーバーシュート駆動を行なった結果を示すグラフである。
【図７】図６に用いたものと同じデータが書き込まれたルックアップテーブルを持つＬＵＴ−ＲＯＭ６を用いて、特性ＢのＬＣＤ１’をオーバーシュート駆動を行なった結果を示すグラフである。
【図８】図８（ａ）部分は、本実施の形態の参考例としてのＬＣＤの概略構成を示す図であり、図８（ｂ）部分は、図８（ａ）部分に示すＥＥＰＲＯＭのデータ領域を示す模式図である。
【図９】図９（ａ）部分は、本実施の形態のＬＣＤを示す概略構成を示す図であり、図９（ｂ）部分は、図９（ａ）部分に示すＥＥＰＲＯＭのデータ領域を示す模式図である。
【図１０】１フィールドオーバーシュート駆動によるスイッチングを行なうための信号の例を示す波形図である。
【図１１】従来の液晶表示装置の概略構成を示す図である。
【図１２】従来の液晶表示装置の概略構成を示す図である。
【発明を実施するための最良の形態】
【００３１】〔実施の形態１〕
本発明の一実施の形態について図面を用いて説明する。【００３２】  図１は、本実施の形態にかかる液晶表示装置の概略構成を示すブロック図である。【００３３】  この液晶表示装置は、いわゆるオーバーシュート（Ｏｖｅｒｓｈｏｏｔ）駆動を行なう装置である。ここで、「オーバーシュート駆動」とは、短時間に過大な信号電圧を液晶セルに印加する駆動方式であり、このオーバーシュート駆動により、液晶物質の分子配列の変化を加速して、動画の表現性を向上させることができる。【００３４】  本実施の形態にかかる液晶表示装置は、同図に示すように、ＬＣＤ（Ｌｉｑｕｉｄ  Ｃｒｙｓｔａｌ  Ｄｉｓｐｌａｙ；ＬＣＤモジュール）１、および外部信号源２を有している。【００３５】  ＬＣＤ１は、スイッチング素子としての薄膜トランジスタ（ＴＦＴ）を備えたアクティブマトリクス型の液晶パネル（パネル）３と、この液晶パネルを駆動するドライバ（ソースドライバ、ゲートドライバ；不図示）と、ＦＰＣ４と、コネクタ５とを備えている。【００３６】  ここで注目すべきは、ＦＰＣ（Ｆｌｅｘｉｂｌｅ  Ｐｒｉｎｔｅｄ  Ｃｉｒｃｕｉｔ）４に（つまりＬＣＤ１に）ルックアップテーブル（ＬＵＴ）を備えたメモリであるＬＵＴ−ＲＯＭ（Ｌｏｏｋｕｐ  Ｔａｂｌｅ−Ｒｅａｄ  Ｏｎｌｙ  Ｍｅｍｏｒｙ）６が備えられていることである。このようにＬＣＤ１にＬＵＴ−ＲＯＭ６が備えられている点、つまり、ＬＣＤ１にルックアップテーブルが備えられている点が本発明の最重要部分であるが、この点については後述する。なお、ここでは、ルックアップテーブルのデータをＲＯＭに格納したが、ＲＯＭに限らず、ＲＡＭに格納してもよい。【００３７】  液晶パネル３は、画面縦方向に互いに平行に配置された複数のソースバスライン（不図示）と、画面横方向に互いに平行に配置された複数の走査ライン（不図示）とを有している。そして、液晶パネル３の外側においてソースバスラインはソースドライバに接続されている一方、走査ラインはゲートドライバに接続されている。また、ソースバスラインと走査ラインとは互いに直交しており、その交点に対応して画素（不図示）が形成されている。これらの画素には、ＴＦＴ（Ｔｈｉｎ  Ｆｉｌｍ  Ｔｒａｎｓｉｓｔｏｒ；不図示）および液晶セル（不図示）が配置されている。【００３８】  この液晶パネル３の動作について簡単に説明する。この液晶パネル３にて画像を表示するには、ゲートドライバで各走査ラインに接続されたＴＦＴを走査ライン毎に順次ＯＮさせつつ、ソースドライバで各走査ラインに対応した階調データ（画像データ）に応じた階調電圧を各走査ラインに対応する画素に書き込んでいく。ＦＰＣ４は、各種回路の折り曲げなどを可能にするために設けられている。【００３９】  外部信号源２は、ＬＣＤ１の外側に設けられており、Ｌｏｇｉｃコントローラ（コントローラ）７、フレームメモリ８、および入力信号部９を有している。【００４０】  コントローラ７は、上記のソースドライバおよびゲートドライバの動作を制御する役割を有している。また、コントローラ７は、ソースドライバへデジタルデータである階調データ（画像データ）を送る。この階調データによって、ソースドライバを介して各画素に書き込むべき階調電圧が指定される。さらに、コントローラ７は、ゲートドライバに対して走査タイミングを指示する信号を与えるとともに、ソースドライバに対して上記走査タイミングと同期して階調電圧を切り換えて出力するための信号を与える。【００４１】  コントローラ７によりソースドライバに送られる階調データは、ＬＵＴ−ＲＯＭ６からコントローラ７に対して出力されたものである。【００４２】  フレームメモリ８は、１フレーム分の階調データを記憶することができるＦＩＦＯ（Ｆｉｒｓｔ−ｉｎ  Ｆｉｒｓｔ−ｏｕｔ）方式のメモリである。したがって、フレームメモリ８はデータの入出力の同時処理を行なうことができるようになっている。また、フレームメモリ８を介することにより、簡単な構成で１フレーム分遅らせた階調データ（第２階調データ）を出力することができる。この１フレーム分遅らせた階調データは、コントローラ７を介してＬＵＴ−ＲＯＭ６へ出力される。【００４３】  次に、図１に示す液晶表示装置のオーバーシュート駆動に関する動作について詳細に説明する。【００４４】  図２は、外部信号源２およびＬＵＴ−ＲＯＭ６における階調データの入出力を示すブロック図である。なお、図１および図２では、ＬＵＴ−ＲＯＭ６およびフレームメモリ８がそれぞれ１つずつ備えられた構成となっているが、液晶パネル３が「ＲＧＢ」のカラー表示可能なものであり、階調データが「ＲＧＢ」のカラーデータである場合には、ＬＵＴ−ＲＯＭ６およびフレームメモリ８を「ＲＧＢ」の階調データごとに独立に備えておいてもよい。【００４５】  ＬＵＴ−ＲＯＭ６は、２つの入力を有している。この２つの入力のうちの一方の入力（第１入力）は、入力信号部９から伝送された階調データがコントローラ７を介して入力されており、他方の入力（第２入力）は、入力信号部９から伝送された階調データが一旦フレームメモリ８に記憶され、１フレーム分遅れて、コントローラ７を介して入力されている。【００４６】  このように、入力信号部９から出力された表示すべきフレーム（第１フレーム）の階調データ（現階調データ；第１階調データ）は、コントローラ７を介してＬＵＴ−ＲＯＭ６の第１入力に入力されると同時にフレームメモリ８にも入力される。また、フレームメモリ８からは表示すべきフレームの１フレーム前のフレーム（直前のフレーム；第２フレーム）の階調データ（前階調データ；第２階調データ）が出力され、ＬＵＴ−ＲＯＭ６の第２入力に入力される。【００４７】  そして、ＬＵＴ−ＲＯＭ６は、現階調データと前階調データとに基づいて、予め定められたルックアップテーブルから、オーバーシュート駆動を行なうための特定の階調データ（第３の階調データ）をコントローラ７へ出力するようになっている。【００４８】  上記では、現階調データと前階調データとをそのままコントローラ７からＬＵＴ−ＲＯＭ６に入力するとしたが、例えば、コントローラ７にて現階調データと前階調データとの差分をとってからＬＵＴ−ＲＯＭ６へ入力してもよい。これによりＬＵＴ−ＲＯＭ６の記憶容量を小さくすることができる。【００４９】  また、ＬＵＴ−ＲＯＭ６の構成（ルックアップテーブルの構成）は、８×８階調、１６×１６階調、３２×３２階調、６４×６��階調、１２８×１２８階調、２５６×２５６階調などが考えられる。このＬＵＴ−ＲＯＭ６のデータ（例えば８×８階調のデータ）を読み出して、コントローラ７にて線形補完を行なって２５６×２５６階調に変換してから２つの信号（現階調データと前階調データ）をＬＵＴ−ＲＯＭ６へ出力してもよい。また、ルックアップテーブルは、温度毎に別々に用意されていることが好ましい。【００５０】  また、上記のコントローラ７は、ＬＣＤ１を立ち上げる際に、垂直同期信号をカウントし、このカウントが特定回数になった直後のＬＣＤからの信号を読み出す。そして、以降、再度電源の投入があるまで、コントローラ７にてＬＵＴ−ＲＯＭ６の制御を行なう。【００５１】  次に、本発明の最重要部分である、ＬＵＴ−ＲＯＭ６がＬＣＤ１に設けられていることにより生じる作用効果について説明する。【００５２】  上記したように、従来、ＬＵＴ−ＲＯＭを外部信号源に設けていた。そのため、次のような問題が発生していた。オーバーシュート駆動の係数の最適値は、ラインやロットのバラツキなどによりＬＣＤ毎に変化することがある。より具体的には、ＬＣＤ毎にＬＣＤの応答速度の特性が異なる。そのため、オーバーシュート駆動を行なう場合、ＬＣＤの応答速度の特性に応じて、その都度、わざわざＬＵＴ−ＲＯＭのルックアップテーブルのデータを書き換える必要があった。【００５３】  ここで「応答速度」とは、図３に示すように、動画像において、ｎフレーム目の階調からｎ＋１フレーム目の階調に変化させた際に、ｎフレーム目の階調の輝度（０％）から実際にｎ＋１フレーム目の階調の輝度（１００％）に到達するまでの時間（ΔＴ１＝ｔ２−ｔ１）をいう。なお、ｎフレーム目の階調の輝度における時刻をｔ１とし、ｎ＋１フレーム目の階調の輝度における時刻をｔ２としている。また、図３では、縦軸は輝度（％）を示している一方、横軸は時間（ｍｓ）を示している。但し、ｎフレーム目からｎ＋１フレーム目の輝度差を１００％として、その１０％から９０％までにかかる時間を応答速度ということもある。【００５４】  図４（ａ）は、応答速度の特性Ａを持つＬＣＤを備えた液晶表示装置の概略構成を示すブロック図である。図４（ｂ）は、応答速度の特性Ｂ（特性Ａとは異なる）を持つＬＣＤを備えた液晶表示装置の概略構成を示すブロック図である。【００５５】  なお、これらの液晶表示装置は、共に同一のデータが書き込まれたルックアップテーブルを持つＬＵＴ−ＲＯＭ６を備えており、いずれもオーバーシュート駆動が可能な構成となっている。このＬＵＴ−ＲＯＭ６のルックアップテーブルには、特性ＡのＬＣＤ１のオーバーシュート駆動に最適なデータが書き込まれている。なお、同図では、図１に示すコネクタ５は省略されている。【００５６】  図５は、オーバーシュート駆動を行わずに、上記の特性ＡのＬＣＤ１および特性ＢのＬＣＤ１’を用いて、それぞれｎフレーム目の階調の輝度（階調）からｎ＋１フレーム目の階調に変化させた場合の応答速度を示すグラフである。【００５７】  同図に示すように、特性ＡのＬＣＤ１は応答速度がΔＴ２（ｔ４−ｔ３）となっている一方、特性ＢのＬＣＤ１’は応答速度がΔＴ３（ｔ５−ｔ３；ΔＴ３＞ΔＴ２）となっている���つまり、特性ＢのＬＣＤ１’の方が特性ＡのＬＣＤ１よりも応答速度が速くなっている。なお、同図において、特性ＡのＬＣＤ１および特性ＢのＬＣＤ１’のｎフレーム目の階調における時刻をｔ３とし、特性ＢのＬＣＤ１’のｎ＋１フレーム目の階調における時刻をｔ４とし、特性ＡのＬＣＤ１のｎ＋１フレーム目の階調における時刻をｔ５としている。【００５８】  図６は、特性ＡのＬＣＤ１に対して、ＬＵＴ−ＲＯＭ６のルックアップテーブルのデータを用いて、オーバーシュート駆動を行なった結果の階調−時間を示すグラフである。【００５９】  同図に示すように、オーバーシュート駆動を行なった場合には、ｎ＋１フレーム目の階調における時刻がｔ６（＜ｔ４）となり、応答速度がΔ４（ｔ６−ｔ３；＜ΔＴ２）となるため、図５に示すオーバーシュート駆動を行なわない場合よりも応答速度が速くなる。【００６０】  図７は、この図６に用いたものと同じデータが書き込まれたルックアップテーブルを持つＬＵＴ−ＲＯＭ６を用いて、特性ＢのＬＣＤ１’をオーバーシュート駆動した結果の階調−時間を示すグラフである。【００６１】  この場合、同図に示すように、階調−時間曲線が、ｎ＋１フレーム目の階調を超えてしまう。そのため、表示品位が低下する。この理由は、特性ＢのＬＣＤ１’は、特性ＡのＬＣＤ１とはＬＣＤの特性が異なるにも関わらず、特性ＡのＬＣＤ１のオーバーシュート駆動に最適なＬＵＴ−ＲＯＭ６と同一のＬＵＴ−ＲＯＭ６を用いたからである。【００６２】  一方、図示しないが、逆に、特性ＢのＬＣＤ１’のオーバーシュート駆動に最適なＬＵＴ−ＲＯＭ（不図示）を用いて、特性ＡのＬＣＤ１をオーバーシュート駆動させた場合には、特性ＡのＬＣＤ１のオーバーシュート駆動に最適なＬＵＴ−ＲＯＭ６を用いてオーバーシュート駆動させた場合に比べて、応答速度が遅くなる。なお、特性ＡのＬＣＤ１の応答速度は、特性ＡのＬＣＤ１のオーバーシュート駆動に最適なＬＵＴ−ＲＯＭ６を特性ＡのＬＣＤ１に用いた場合＞特性ＢのＬＣＤ１’のオーバーシュート駆動に最適なＬＵＴ−ＲＯＭを特性ＡのＬＣＤ１に用いた場合＞オーバーシュート駆動を用いない特性ＡのＬＣＤ１となる。【００６３】  そのため、従来は、ＬＣＤの応答速度の特性に応じてその都度、わざわざＬＵＴ−ＲＯＭのデータを書き換えていた。【００６４】  これに対して、本実施の形態では、上記の通り、ＬＵＴ−ＲＯＭ６をＬＣＤ１自体に設けており、ＬＵＴ−ＲＯＭ６をＬＣＤ１の応答速度の特性に合った（つまり、オーバーシュート駆動に最適な）ＬＵＴ−ＲＯＭ６を設けている。【００６５】  従って、ＬＣＤのラインやロット毎の応答速度の特性のバラツキに関わらず、外部からわざわざＬＵＴ−ＲＯＭのルックアップテーブルのデータを書き換えなくても、表示品位が低下することなく、応答速度を速くすることができる、という効果を奏する。【００６６】  なお、上記の説明では、入力信号部９からの階調データが直接フレームメモリ８に入力されているが、この構成に限らず、コントローラ７を介してフレームメモリ８に入力してもよい。また、ＬＵＴ−ＲＯＭは必ずしもＬＣＤに設ける必要はなく、ＬＣＤの応答速度の特性毎に設けられていればよい。
〔実施の形態２〕
本発明の他の実施形態について図８および図９を用いて説明する。本実施の形態では、上記実施の形態１との相違点について説明するため、説明の便宜上、実施の形態１で説明した部材と同様の機能を有する部材には同一の番号を付し、その説明を省略する。【００６７】  図８（ａ）部分は、参考例としてのＬＣＤの概略構成を示す図であり、図８（ｂ）部分は、図８（ａ）部分に示すＥＥＰＲＯＭ（ｅｌｅｃｔｒｉｃａｌｌｙ  ｅｒａｓａｂｌｅ／ｐｒｏｇｒａｍｍａｂｌｅ  ｒｅａｄ  ｏｎｌｙ  ｍｅｍｏｒｙ）のデータ領域を示す模式図である。近年、モジュールの対向調整用にＥＥＰＲＯＭを搭載する例が増えてきている。【００６８】  参考例としてのＬＣＤ２０は、図８（ａ）部分に示すように、液晶パネル２３、ＦＰＣ２４、およびＥＥＰＲＯＭ３０を備えている。【００６９】  このＥＥＰＲＯＭ３０は、図８（ａ）部分に示すように、ＬＣＤ２０におけるＦＰＣ２４に搭載されている。また、このＥＥＰＲＯＭ３０には、図８（ｂ）部分に示すように、対向調整値（ここでは「００」「５５」）が格納された対向調整用の対向調整領域２５以外に未使用領域が存在している。【００７０】  図９（ａ）部分は、本実施の形態のＬＣＤの概略構成を示す図であり、図９（ｂ）部分は、図９（ａ）部分に示すＥＥＰＲＯＭのデータ領域を示す模式図である。【００７１】  本実施の形態のＬＣＤ１０は、参考例としてのＬＣＤ２０と同様に、液晶パネル３、ＦＰＣ４、およびＥＥＰＲＯＭ１１を備えている。【００７２】  本実施の形態のＥＥＰＲＯＭ１１では、図９（ｂ）に示すように、対向調整用の対向調整領域１２以外の未使用領域の一部の領域１３がルックアップテーブルとして利用されている。【００７３】  これにより、従来のモジュールをそのまま用いて実施の形態１と同様の効果を得ることができ、つまりモジュール変更することなく、最適なオーバーシュート駆動を実現することができる。【００７４】  また、本発明の液晶表示装置およびＬＣＤでは、上記ルックアップテーブルは、上記ＬＣＤに搭載されていてもよい。【００７５】  上記構成によれば、ルックアップテーブルは、ＬＣＤに搭載されている。そのため、製造時にライン毎・ロット毎にルックアップテーブルを設けることができ、製造効率を高めることができる。つまり、ＬＣＤのオーバーシュート駆動に適したルックアップテーブルをＬＣＤの製造ライン毎・製造ロット毎にＬＣＤに設けることができる。【００７６】  また、本発明の液晶表示装置では、上記ＬＣＤはフレキシブルプリント基板を有しており、上記ルックアップテーブルは上記フレキシブルプリント基板上に搭載されていることが好ましい。【００７７】  上記構成によれば、ルックアップテーブルはフレキシブルプリント基板上に搭載されている。そのため、ルックアップテーブルを容易に搭載することができる。また、フレキシブルプリント基板の空きスペースを有効利用することができ、省スペース化を図ることができる。【００７８】  また、本発明の液晶表示装置では、上記のルックアップテーブルは、ＲＯＭに内蔵されていることが好ましい。【００７９】  また、本発明の液晶表示装置では、上記ＲＯＭは、上記ＬＣＤの対向調整用に用いられているＥ��ＰＲＯＭであることが好ましい。【００８０】  近年、ＬＣＤの対向調整用にＥＥＰＲＯＭが用いられることが多い。そのため、この対向調整用のＥＥＰＲＯＭを用いれば、ＬＣＤの設計を変更したり、また、新たなメモリを搭載したりする手間を省くことができる。【００８１】  また、本発明の液晶表示装置では、上記ＥＥＰＲＯＭのデータ領域における対向調整用に用いられていない領域をルックアップテーブルとして用いることが好ましい。【００８２】  本発明のＬＣＤは、オーバーシュート駆動を行なう、画像を表示する液晶パネルを有するＬＣＤであって、第１フレームにおける第１階調データと、上記第１フレームの１フレーム前の第２フレームにおける第２階調データとから、上記ＬＣＤの上記オーバーシュート駆動に最適な第３の階調データを算出可能なルックアップテーブルのデータが上記ＬＣＤの応答速度の特性毎に記録されている。【００８３】  本発明のＬＣＤの駆動方法は、画像を表示する液晶パネルを備えてオーバーシュート駆動を行なうＬＣＤの駆動方法であって、第１フレームにおける第１階調データと、上記第１フレームの１フレーム前の第２フレームにおける第２階調データとから、上記ＬＣＤの上記オーバーシュート駆動に最適な第３の階調データを算出可能なルックアップテーブルのデータを上記ＬＣＤの応答速度の特性毎に記録している。【００８４】  本発明の液晶表示装置は、画像を表示する液晶パネルを有するＬＣＤと、ルックアップテーブルと、上記ＬＣＤの外部に設けられたフレームメモリとを備えてオーバーシュート駆動を行なう液晶表示装置であって、第１フレームにおける第１階調データと、予め上記フレームメモリに記憶させておいた上記第１フレームの１フレーム前の第２フレームにおける第２階調データとから、上記ルックアップテーブルを用いて、上記ＬＣＤの上記オーバーシュート駆動に最適な第３の階調データが算出される液晶表示装置において、上記ルックアップテーブルのデータは、上記ＬＣＤの応答速度の特性毎に記録されている。【００８５】  本発明の液晶表示装置の駆動方法は、画像を表示する液晶パネルを有するＬＣＤと、ルックアップテーブルと、上記ＬＣＤの外部に設けられたフレームメモリと、ルックアップテーブルとを備えてオーバーシュート駆動を行なう液晶表示装置の駆動方法であって、第１フレームにおける第１階調データと、予め上記フレームメモリに記憶した上記第１フレームの１フレーム前の第２フレームにおける第２階調データとから、上記ルックアップテーブルを用いて、上記ＬＣＤの上記オーバーシュート駆動に最適な第３の階調データを算出する液晶表示装置の駆動方法において、上記ＬＣＤの応答速度の特性毎に上記ルックアップテーブルのデータが記録されている。【００８６】  従って、ルックアップテーブルのデータを書き換えずに、高い表示品位を保つと共に、オーバーシュート駆動に最適なルックアップテーブルを持つ液晶表示装置およびその駆動方法、並びに、ＬＣＤおよびＬＣＤの駆動方法を提供することができる。【００８７】  本発明は、上述した各実施形態に限定されるものではなく、請求項に示した範囲で種々の変更が可能であり、異なる実施形態にそれぞれ開示された技術的手段を���宜組み合わせて得られる実施形態についても本発明の技術的範囲に含まれる。
【産業上の利用可能性】
【００８８】  本発明によれば、液晶の応答速度を要求仕様が満たされている状態に安定させることができるととともに、回路規模をコンパクトにすることができる。したがって、本発明は、低温時に液晶の応答速度を安定させる必要性が高い、車載用のインスツルメントパネルに好適である。
【図１】
2007026714.tif 000002
【図２】
2007026714.tif 000003
【図３】
2007026714.tif 000004
【図４（ａ）】
2007026714.tif 000005
【図４（ｂ）】
2007026714.tif 000006
【図５】
2007026714.tif 000007
【図６】
2007026714.tif 000008
【図７】
2007026714.tif 000009
【図８】
2007026714.tif 000010
【図９】
2007026714.tif 000011
【図１０】
2007026714.tif 000012
【図１１】
2007026714.tif 000013
【図１２】
2007026714.tif 000014
【国際調査報告】
2007026714.tif 000015
2007026714.tif 000016
2007026714.tif 000017